(57)【要約】      （修正有）【課題】情報の送受信機能を備えると共に広告の表示内容を容易に変更可能な汎用性の高い広告パネルを提供する。【解決手段】本広告パネル１は、少なくとも一部が光透過性素材から構成され、広告媒体２を外部から視認可能に収容する広告媒体ホルダ２０と、広告媒体ホルダ２０を着脱可能に保持するフレーム１０と、広告媒体２の背面側に配置される非接触式情報記憶媒体リーダライタ４０または非接触式情報記憶媒体とを備えている。【選択図】図１
0003159361.tif 000002
【実用新案登録請求の範囲】
【請求項１】
少なくとも一部が光透過性素材から構成され、広告媒体を外部から視認可能に収容する広告媒体ホルダと、
前記広告媒体ホルダを着脱可能に保持するフレームと、
前記広告媒体の背面側に配置される非接触式情報記憶媒体リーダライタまたは非接触式情報記憶媒体と、を備えることを特徴とする、
広告パネル。
【請求項２】
前記フレームは、前記広告媒体ホルダの少なくとも一部と係合して前記広告媒体ホルダを着脱可能に保持する保持部材を備えることを特徴とする、
請求項１に記載の広告パネル。
【請求項３】
前記保持部材は、前記広告媒体ホルダの一部が挿入されてスライド可能なガイド溝を備え、前記フレームの側方、上方、下方または前方から前記広告媒体ホルダを挿脱可能なレール状に構成されることを特徴とする、
請求項２に記載の広告パネル。
【請求項４】
前記広告媒体は、シート状または板状であり、
前記広告媒体ホルダは、前記広告媒体の正面側に配置される正面側保護部材と前記広告媒体の背面側に配置される背面側保護部材を備えることを特徴とする、
請求項１乃至３のいずれかに記載の広告パネル。
【請求項５】
前記フレームは、複数の前記広告媒体ホルダを配列して保持するように構成され、
前記非接触式情報記憶媒体リーダライタまたは前記非接触式情報記憶媒体は、複数の前記広告媒体ホルダに個別に対応させて配置されることを特徴とする、
請求項１乃至４のいずれかに記載の広告パネル。
【請求項６】
前記広告媒体ホルダの背面側に配置され、配付用広告媒体を収容する収容部をさらに備えることを特徴とする、
請求項１乃至５のいずれかに記載の広告パネル。
【請求項７】
前記広告媒体ホルダの背面側に配置され、前記広告媒体ホルダに収容された前記広告媒体を背面側から照明する照明装置をさらに備え、
前記非接触式記憶媒体リーダライタまたは前記非接触式情報記憶媒体は、前記照明装置の背面側に配置されることを特徴とする、
請求項１乃至６のいずれかに記載の広告パネル。
【請求項８】
前記照明装置は、面発光照明装置であることを特徴とする、
請求項７に記載の広告パネル。
【請求項９】
前記フレームは、複数の前記広告媒体ホルダを配列して保持するように構成され、
前記照明装置は、複数の前記広告媒体ホルダに収容された前記広告媒体を個別に照明可能であることを特徴とする、
請求項７または８に記載の広告パネル。
【考案の詳細な説明】
【技術分野】
【０００１】
本考案は、ポスターや看板等の広告を表示する広告パネルに関し、特に非接触式情報記憶媒体リーダライタ、または非接触式情報記憶媒体を備える広告パネルに関する。
【背景技術】
【０００２】
従来、街中や電車等の車内で気になる商品や催し物等の広告物を見つけた場合に、その広告内容について詳細な情報を求めたいときは、直接販売店に出向いたり、カタログを取り寄せたり、電話等で問い合わせたりする必要があった。一方、近年では、インターネットの普及により、広告内容に関する詳細な情報をインターネット上で比較的簡単に得ることができるようになっている。但し、目的の情報が掲載されているウェブサイトのＵＲＬを知らない場合には、キーワードを基にサーチエンジンを使用して検索し、関連しそうなウェブサイトにアクセスする等して手掛かりを辿って行かなければ目的のウェブサイトに到達することができないため、思ったよりも手間暇を要するものとなっている。
【０００３】
このため、近年の広告媒体では、広告内容に関する情報を提供しているウェブサイトのＵＲＬの文字情報や、ＵＲＬ等の情報を格納した２次元コードが提示されている場合がある。しかしながら、ＵＲＬの文字情報は、一般的に小さな文字で端の方に記載されているために無視されがちであり、また、広告媒体に記載されたＵＲＬを覚えたり書き写したりしておき、後でパソコン等に入力してアクセスするか、或いはその場で携帯型情報端末に入力してアクセスしなければならず、その煩雑さの故に利用されていないのが実状である。また、２次元コードは、バーコード読み取り機能付き携帯型情報端末を必要とする上に、アプリケーションを起動して２次元コードを読み取らなくてはならないため、煩雑さを解消するものとはなっていない。
【０００４】
これに対し、最近では、広告媒体、特にポスター等に非接触式情報記憶媒体のリーダライタを設け、携帯型情報端末に内蔵された非接触情報記憶媒体（おサイフケータイ（登録商標）等）や、非接触情報記憶媒体付きカード（ＩＣカード等）との情報の読み出しまたは書き込みを非接触で行うことができる電波ポスター（大日本印刷株式会社製）をはじめ、ユビキタスポスター、インタラクティブポスター等が発表されている。
【考案の概要】
【考案が解決しようとする課題】
【０００５】
しかしながら、このような非接触式情報記憶媒体リーダライタ等によって情報の送受信機能を備えるポスター等は、特定の広告に対する専用品として作成されることが多く、新たな広告を開始する場合や広告内容が変更されるたびに新規作成しなければならないという問題があった。すなわち、リーダライタ等の情報の送受信機能はそのままに広告の表示内容のみを変更するといったことが考慮されていないため、汎用性に欠くという問題があった。また、このような汎用性のなさが、このような情報の送受信機能を備えるポスター等の普及を阻害する要因ともなっていた。
【０００６】
本考案は、斯かる実情に鑑み、情報の送受信機能を備えると共に広告の表示内容を容易に変更可能な汎用性の高い広告パネルを提供しようとするものである。
【課題を解決するための手段】
【０００７】
（１）本考案は、少なくとも一部が光透過性素材から構成され、広告媒体を外部から視認可能に収容する広告媒体ホルダと、前記広告媒体ホルダを着脱可能に保持するフレームと、前記広告媒体の背面側に配置される非接触式情報記憶媒体リーダライタまたは非接触式情報記憶媒体と、を備えることを特徴とする、広告パネルである。
【０００８】
（２）本考案はまた、前記フレームは、前記広告媒体ホルダの少なくとも一部と係合して前記広告媒体ホルダを着脱可能に保持する保持部材を備えることを特徴とする、上記（１）に記載の広告パネルである。
【０００９】
（３）本考案はまた、前記保持部材は、前記広告媒体ホルダの一部が挿入されてスライド可能なガイド溝を備え、前記フレームの側方、上方、下方または前方から前記広告媒体ホルダを挿脱可能なレール状に構成されることを特徴とする、上記（２）に記載の広告パネルである。
【００１０】
（４）本考案はまた、前記広告媒体は、シート状または板状であり、前記広告媒体ホルダは、前記広告媒体の正面側に配置される正面側保護部材と前記広告媒体の背面側に配置される背面側保護部材を備えることを特徴とする、上記（１）乃至（３）のいずれかに記載の広告パネルである。
【００１１】
（５）本考案はまた、前記フレームは、複数の前記広告媒体ホルダを配列して保持するように構成され、前記非接触式情報記憶媒体リーダライタまたは前記非接触式情報記憶媒体は、複数の前記広告媒体ホルダに個別に対応させて配置されることを特徴とする、上記（１）乃至（４）のいずれかに記載の広告パネルである。
【００１２】
（６）本考案はまた、前記広告媒体ホルダの背面側に配置され、配付用広告媒体を収容する収容部をさらに備えることを特徴とする、上記（１）乃至（５）のいずれかに記載の広告パネルである。
【００１３】
（７）本考案はまた、前記広告媒体ホルダの背面側に配置され、前記広告媒体ホルダに収容された前記広告媒体を背面側から照明する照明装置をさらに備え、前記非接触式記憶媒体リーダライタまたは前記非接触式情報記憶媒体は、前記照明装置の背面側に配置されることを特徴とする、上記（１）乃至（６）のいずれかに記載の広告パネルである。
【００１４】
（８）本考案はまた、前記照明装置は、面発光照明装置であることを特徴とする、上記（７）に記載の広告パネルである。
【００１５】
（９）本考案はまた、前記フレームは、複数の前記広告媒体ホルダを配列して保持するように構成され、前記照明装置は、複数の前記広告媒体ホルダに収容された前記広告媒体を個別に照明可能であることを特徴とする、上記（７）または（８）に記載の広告パネルである。
【考案の効果】
【００１６】
本考案の広告パネルによれば、情報の送受信機能を備えながらも広告の表示内容を容易に変更し、汎用性を高めることが可能という優れた効果を奏し得る。
【図面の簡単な説明】
【００１７】
【図１】（ａ）本考案の第１の実施形態に係る広告パネルの正面図である。（ｂ）同広告パネルの側面図である。
【図２】（ａ）広告媒体ホルダを示した図である。（ｂ）（ａ）のＡ−Ａ線断面の拡大図である。（ｃ）広告媒体ホルダの保持部材への取付け方法を示した図である。
【図３】（ａ）および（ｂ）リーダライタを、広告媒体ごとに配置される複数のアンテナ部と１つの制御部から構成した例を示した図である。
【図４】（ａ）本考案の第２の実施形態に係る広告パネルの正面図である。（ｂ）同広告パネルの側面図である。
【図５】リーダライタのその他の配置を示した図である。
【考案を実施するための形態】
【００１８】
以下、本考案の実施の形態を、添付図面を参照して説明する。
【００１９】
まず、本考案の第１の実施形態に係る広告パネル１について説明する。図１（ａ）は、広告パネル１の正面図であり、同図（ｂ）は、広告パネル１の側面図である。同図に示されるように、広告パネル１は、複数の広告媒体２を配列して提示するものであり、フレーム１０と、フレーム１０に保持される広告媒体ホルダ２０と、広告媒体ホルダ２０の背面側においてフレーム１０に設けられる照明装置３０と、照明装置３０の背面側においてフレーム１０に配置される非接触式情報記憶媒体リーダライタ４０（以下、リーダライタ４０と呼ぶ）と、を備えている。
【００２０】
フレーム１０は、広告媒体ホルダ２０、照明装置３０およびリーダライタ４０を保持するものである。フレーム１０の正面には、広告媒体２０を保持するための保持部材１２が設けられている。保持部材１２は、広告媒体ホルダ２０を保持するレール状部材１２ａ、１２ｂを複数組み合わせて構成されている。具体的には、保持部材１２は、水平方向に延設される４つのレール状部材１２ａを垂直方向に等間隔に配置すると共に、中央に垂直方向に延設される１つのレール状部材１２ｂを配置して構成されている。従って、保持部材１２は６つのコの字状部分を備えて構成され、広告媒体ホルダ２０はこれらのコの字状部分の内側にそれぞれ保持されるようになっている。
【００２１】
レール状部材１２ａ、１２ｂのコの字状部分の内側に対応する側面には、ガイド溝１４が形成されており、広告媒体ホルダ２０は、自身の端部がこのガイド溝１４に挿入されて係合することにより保持部材１２に保持される。
【００２２】
なお、本実施形態では、６つの広告媒体ホルダ２０を取付可能に構成した例を示しているが、本考案はこれに限定されるものではなく、その他の個数（例えば、１つでもよい）の広告媒体ホルダ２０を取付可能なものであってもよい。また、広告媒体ホルダの配列方法は、同図に示したものに限定されるものではなく、例えば千鳥状に配列する等、その他の配列方法であってもよい。
【００２３】
広告媒体ホルダ２０は、例えば紙等に広告情報が印刷されたシート状の印刷物である広告媒体２を収容して保護するためのものであり、本実施形態では矩形板状に構成されている。図２（ａ）は、広告媒体ホルダ２０を示した図であり、同図（ｂ）は、同図（ａ）のＡ−Ａ線断面の拡大図である。広告媒体ホルダ２０は、袋状の部材であり、正面側保護板２２および背面側保護板２４の間のスリット２６に広告媒体２を収容するように構成されている。
【００２４】
広告媒体２は、開口部２８からスリット２６内に挿入されることで、広告媒体ホルダ２０に収容される。広告媒体ホルダ２０は、少なくとも正面側保護板２２および背面側保護板２４が、例えば透明樹脂やガラス等の光透過性の素材から構成され、収容した広告媒体２の広告表示を外部から視認可能となっている。
【００２５】
同図（ｃ）は、広告媒体ホルダ２０の保持部材１２への取付け方法を示した図である。同図に示されるように、広告媒体ホルダ２０は、上端部および下端部を側方から上下のレール状部材１２ａのガイド溝１４内に挿入し、そのまま水平方向にスライドさせて中央のレール状部材１２ｂのガイド溝１４内に側端部を挿入することで、保持部材１２に取付けられる。従って、本実施形態では、広告パネル１によって提示する広告媒体２を、広告媒体ホルダ２０と共に容易に差替えることが可能となっている。
【００２６】
なお、図示は省略するが、広告媒体２および広告媒体ホルダ２０が保持部材１２から容易に脱落しないようにするためのストッパをフレーム１０に設けるようにしてもよい。また、保持部材１２は、広告媒体ホルダ２０を上方、下方または前方から挿入して取付けるように構成されるものであってもよい。また、広告媒体ホルダ２０は、商品サンプル等の立体物を収容可能な箱形やブリスターパック状に構成されるものであってもよい。
【００２７】
図１に戻って、照明装置３０は、図示を省略した電源に接続され、広告媒体２を背面から照明する面発光照明装置である。照明装置３０は、広告媒体ホルダ２０の背面側に配置される光透過性の素材からなる導光板３２と、導光板３２の背面に付着される光の反射機能を有する反射板３４と、導光板３２および反射板３４の両エッジに沿って配置される複数のＬＥＤ（Ｌｉｇｈｔ  Ｅｍｉｔｔｉｎｇ  Ｄｉｏｄｅ）からなる光源ユニット３６と、から構成されている。
【００２８】
本実施形態では、このように面発光照明装置である照明装置３０を使用することで、広告媒体２を均一に照明して広告表示が見やすくなるようにしている。また、エッジライト方式の照明装置３０を使用することで、リーダライタ４０の前方（正面側）に照明装置３０を配置しながらもリーダライタ４０に通信障害が生じにくいようにしている。
【００２９】
なお、照明装置３０として、有機ＥＬ（Ｅｌｅｃｔｒｏ  Ｌｕｍｉｎｅｓｃｅｎｃｅ）照明等の面発光照明装置を使用するようにしてもよい。また、本実施形態では、広告媒体ホルダ２０と照明装置３０との間に隙間を設けているが、広告媒体ホルダ２０と照明装置３０を密着させるようにしてもよい。この場合、より均一且つ明瞭に広告媒体を照明することができる。
【００３０】
また、照明装置３０を、例えば複数に分割する等して、複数の広告媒体２を個別に照明することが可能なように構成してもよい。この場合、例えば複数の広告媒体２のうち、特定の広告媒体のみを点灯させたり、明滅させたりするようにしてもよい。
【００３１】
なお、照明装置３０は必須の構成ではなく、広告パネル１の設置場所の環境等に応じて、必要なければ省略するようにしてもよい。また、広告媒体２を背面側（後方）から照明する照明装置３０の代わりに、保持部材１２にＬＥＤを配置する等して、広告媒体２を正面側（前方）から照明する照明装置を設けるようにしてもよい。このように、広告媒体２を背面側から照明する照明装置３０を設けない場合は、広告媒体ホルダ２０の背面側保護板２４を不透明な素材から構成することができる。
【００３２】
リーダライタ４０は、広告媒体２に近接された非接触式情報記憶媒体５０と近距離通信を行い、各種情報を送受信するものである。本実施形態では、複数のリーダライタ４０を複数の広告媒体２にそれぞれ対応させて配置している。また、リーダライタ４０を照明装置３０の背面側に配置することで、照明装置３０によって広告媒体２を照明した場合にリーダライタ４０の影が広告媒体２に写り込み、見栄えが悪くなるのを防止している。
【００３３】
広告媒体２を見た利用者は、広告表示中の指示に従い、例えば非接触式情報記憶媒体５０を備える携帯情報端末５２を、所望の広告媒体２に近づける。すると、リーダライタ４０はこれを検知し、利用者の非接触式情報記憶媒体５０に記憶された識別情報や管理情報等を読取ったり、ＵＲＬ情報や各種特典等の利用者に有用な情報を送信したりといった処理を行う。また、リーダライタ４０は、インターネット等の通信回線を通じて管理サーバに接続されており（図示省略）、利用者の非接触式情報記憶媒体５０から読取った識別情報等を管理サーバに送信する。なお、非接触式情報記憶媒体５０を備える携帯情報端末５２以外にも、例えばＩＣカードや商品等に付されたＲＦＩＤタグ等を広告媒体２に近接させ、リーダライタ４０がこれらとの間で各種情報を送受信するようにしてもよい。
【００３４】
本実施形態では、複数の広告媒体２に対応させてリーダライタ４０を設けているため、利用者の非接触式情報記憶媒体５０の識別情報等を広告媒体２ごとに取得して管理することができる。また、広告媒体２ごとに異なる各種情報等を利用者の非接触式情報記憶媒体５０に送信することができる。
【００３５】
図３（ａ）および（ｂ）は、リーダライタ４０を、広告媒体２ごとに配置される複数のアンテナ部４２と１つの制御部４４から構成した例を示した図であり、同図（ａ）はこの例の広告パネル１の正面図であり、同図（ｂ）は側面図である。このように、複数のアンテナ部４２を複数の広告媒体２に対応させて配置することで、広告媒体２ごとに異なる情報を送受信するようにしてもよい。
【００３６】
なお、リーダライタ４０の代わりに、ＲＦＩＤタグ等の非接触式情報記憶媒体を広告パネル１に備えるようにしてもよい。この場合には、非接触式情報記憶媒体リーダライタの機能を備える携帯情報端末との間で各種情報を送受信することとなる。
【００３７】
次に、本考案の第２の実施形態に係る広告パネル３について説明する。なお、広告パネル３において、広告パネル１と共通する部分については同一の符号を付すと共に、その説明を省略する。
【００３８】
図４（ａ）は、広告パネル３の正面図であり、同図（ｂ）は、広告パネル３の側面図である。同図に示されるように、広告パネル３は、フレーム１０の正面に上部が開口したポケット状の収容部６０が複数配列されて（この例では、上下に２つ）設けられており、この収容部にチラシ等の配布用広告媒体を収容することができるように構成されている。そして、収容部６０の正面側壁６２に保持部材１２が設けられており、広告媒体ホルダ２０は収容部６０の正面側に配置されるようになっている。
【００３９】
なお、本実施形態では、保持部材１２は、広告媒体ホルダ２０を上方から挿入するように構成されているが、これに限定されるものではないことは第１の実施形態と同様である。また、本実施形態では、収容部６０の正面側壁６２を傾斜させているが、本考案はこれに限定されるものではなく、正面側壁６２をフレーム１０と平行に設けるようにしてもよい。また、収容部６０の上部に開閉可能な蓋部材を設けるようにしてもよい。
【００４０】
照明装置３０は、本実施形態では、収容部６０の正面側壁６２において広告媒体ホルダ２０の背面側に配置されている。従って、収容部６０内に収容された配布用広告媒体に影響されることなく広告媒体２を照明することが可能となっている。なお、照明装置３０は、面発光照明装置３０であればどのような構成のものであってもよく、また、照明装置３０を広告媒体ホルダ２０に密着させるようにしてもよいことは、第１の実施形態と同様である。また、必要に応じて照明装置３０を省略してもよいし、広告媒体２を正面側から照明する照明装置を設けるようにしてもよい。
【００４１】
リーダライタ４０は、同図（ｂ）に示されるように、収容部６０ごとにフレーム１０に配置される。図５は、リーダライタ４０のその他の配置を示した図である。同図に示されるように、収容部６０の正面側壁６２において照明装置３０の背面側に、リーダライタ４０を配置するようにしてもよい。例えば、収容部６０を大きく構成した場合や、収容部６０に収容する配付用広告媒体によって通信障害が生じる可能性がある場合は、正面側壁６２にリーダライタ４０を配置することが望ましい。
【００４２】
なお、リーダライタ４０は、第１の実施形態において示したように、アンテナ部４２と制御部４４から構成されるものであってもよいし、この場合に、アンテナ部４２のみを収容部６０の正面側壁６２に配置するようにしてもよい。また、リーダライタ４０の代わりに、ＲＦＩＤタグ等の非接触式情報記憶媒体を配置するようにしてもよいことは、第１の実施形態と同様である。
【００４３】
以上説明したように、上記実施形態に係る広告パネル１、３は、少なくとも一部が光透過性素材から構成され、広告媒体２を外部から視認可能に収容する広告媒体ホルダ２０と、広告媒体ホルダ２０を着脱可能に保持するフレーム１０と、広告媒体２の背面側に配置される非接触式情報記憶媒体リーダライタ４０または非接触式情報記憶媒体と、を備えている。
【００４４】
このため、非接触式情報記憶媒体リーダライタ４０または非接触式情報記憶媒体による情報の送受信機能を備えながらも、広告媒体２を広告媒体ホルダ２０と共に交換することで広告の表示内容を容易に変更することが可能となっている。この結果、広告パネル１、３の汎用性を高め、様々な用途に活用することができる。また、１つの広告パネル１、３を複数の広告表示に使い回すことができるため、広告宣伝費を削減することができる。
【００４５】
また、広告媒体２を広告媒体ホルダ２０に収容した状態でフレーム１０に取付けることにより、広告媒体２の材質や形状等によらず、広告媒体２を適切に保護しながら広告表示を行うことができる。
【００４６】
また、フレーム１０は、広告媒体ホルダ２０の少なくとも一部と係合して広告媒体ホルダ１０を着脱可能に保持する保持部材１２を備えている。このため、広告媒体２を収容した広告媒体ホルダ２０の取付け、取外しが容易となり、広告パネル１、３の使い勝手を向上させることができる。
【００４７】
また、保持部材１２は、広告媒体ホルダ２０の一部が挿入されてスライド可能なガイド溝１４を備え、フレーム１０の側方、上方、下方または前方から広告媒体ホルダ２０を挿脱可能なレール状に構成されている。このため、広告媒体２を収容した広告媒体ホルダ２０の取付け、取外しをきわめて容易にすることができる。
【００４８】
また、広告媒体２は、シート状または板状であり、広告媒体ホルダ２０は、広告媒体２の正面側に配置される正面側保護部材（正面側保護板２２）と広告媒体２の背面側に配置される背面側保護部材（背面側保護板２４）を備えている。このため、広告媒体２が紙や薄い樹脂等の脆弱な素材からなるような場合でも、広告媒体２の形状を保持しつつ、広告媒体２を損傷から適切に保護することができる。
【００４９】
また、フレーム１０は、複数の広告媒体ホルダ２０を配列して保持するように構成され、非接触式情報記憶媒体リーダライタ４０または非接触式情報記憶媒体は、複数の広告媒体ホルダ２０に個別に対応させて配置されている。このようにすることで、１つの広告パネル１、３で複数の広告媒体２による複数種類の広告表示を行うと共に、複数の広告媒体２ごとに異なる情報を送受信することが可能となる。これにより、広告の態様を多彩にし、広告宣伝効果をより高めることができる。また、広告パネル１、３の汎用性をさらに高め、様々な用途に活用することができる。
【００５０】
また、広告パネル３は、広告媒体ホルダ２０の背面側に配置され、配付用広告媒体を収容する収容部６０をさらに備えている。このため、広告媒体２を明確に提示した状態で、これとリンクさせてチラシ等の配付用広告媒体を配布することが可能となり、広告宣伝効果をさらに高めることができる。また、提示する広告媒体２を、配付用広告媒体と共に交換することで広告内容の変更等に即座に対応することが可能であり、汎用性を高めることができる。なお、広告媒体２と配付用広告媒体は、同一のものであってもよいし、異なるものであってもよい。
【００５１】
また、広告パネル１、３は、広告媒体ホルダ２０の背面側に配置され、広告媒体ホルダ２０に収容された広告媒体２を背面側から照明する照明装置３０をさらに備え、非接触式記憶媒体リーダライタ４０または非接触式情報記憶媒体は、照明装置３０の背面側に配置されている。このようにすることで、背面側から照明することにより広告媒体２を明瞭に提示しながらも、非接触式記憶媒体リーダライタ４０または非接触式情報記憶媒体の影が広告媒体２に映り込まないようにすることができる。
【００５２】
また、照明装置３０は、面発光照明装置であるため、広告媒体２をムラなく均一に照明することが可能となり、広告媒体２を明瞭且つ綺麗に提示することができる。
【００５３】
また、フレーム１０が複数の広告媒体ホルダ２０を配列して保持するように構成されている場合に、照明装置３０を、複数の広告媒体ホルダ２０に収容された広告媒体２を個別に照明可能に構成するようにしてもよい。このようにすることで、特定の広告媒体のみを点灯させたり、明滅させたりする等、より多彩な態様で広告表示を行うことができる。
【００５４】
なお、広告媒体２および広告媒体ホルダ２０の形状は上記実施形態において示した形状に限定されるものではなく、例えば円盤状や立体的な形状等、その他の形状であってもよい。また、保持部材１２は、例えばスナップフィット構造やクイックファスナー構造等のその他の構造によって広告媒体ホルダ２０を保持するものであってもよい。
【００５５】
また、フレーム１０を円柱または多角柱状等に構成し、複数の方向に広告媒体２を提示することができるようにしてもよい。また、広告媒体２が例えば硬質の樹脂等から構成されているような場合には、広告媒体ホルダ２０に収容せずに、広告媒体２を直接保持部材１２に取付けるようにしてもよい。
【００５６】
また、収容部６０をフレーム１０に対して着脱可能に構成するようにしてもよい。この場合、収容部６０を取外して、広告媒体ホルダ２０のみをフレーム１０に取付可能としてもよい。また、広告媒体ホルダ２０と収容部６０を一体的に構成し、共にフレーム１０に対して着脱可能となるように構成してもよい。
【００５７】
以上、本発明の実施の形態について説明したが、本発明の攪拌ユニットは、上記した実施の形態に限定されるものではなく、本発明の要旨を逸脱しない範囲内において種々変更を加え得ることは勿論である。
【産業上の利用可能性】
【００５８】
本考案の広告パネルは、各種広告や宣伝の分野に限らず、各種情報の収集や発信等の分野においても利用することができる。
【符号の説明】
【００５９】
１、３  広告パネル
２  広告媒体
１０  フレーム
１２  保持部材
１４  ガイド溝
２０  広告媒体ホルダ
２２  正面側保護板
２４  背面側保護板
３０  照明装置
４０  非接触式情報記憶媒体リーダライタ
６０  収容部
【図１】
0003159361.tif 000003
【図２】
0003159361.tif 000004
【図３】
0003159361.tif 000005
【図４】
0003159361.tif 000006
【図５】
0003159361.tif 000007
【手続補正書】
【提出日】平成22年3月5日(2010.3.5)
【手続補正１】
【補正対象書類名】実用新案登録請求の範囲
【補正対象項目名】請求項７
【補正方法】変更
【補正の内容】
【請求項７】
前記広告媒体ホルダの背面側に配置され、前記広告媒体ホルダに収容された前記広告媒体を背面側から照明する照明装置をさらに備え、
前記非接触式情報記憶媒体リーダライタまたは前記非接触式情報記憶媒体は、前記照明装置の背面側に配置されることを特徴とする、
請求項１乃至６のいずれかに記載の広告パネル。
【手続補正２】
【補正対象書類名】明細書
【補正対象項目名】００１３
【補正方法】変更
【補正の内容】
【００１３】
（７）本考案はまた、前記広告媒体ホルダの背面側に配置され、前記広告媒体ホルダに収容された前記広告媒体を背面側から照明する照明装置をさらに備え、前記非接触式情報記憶媒体リーダライタまたは前記非接触式情報記憶媒体は、前記照明装置の背面側に配置されることを特徴とする、上記（１）乃至（６）のいずれかに記載の広告パネルである。
【手続補正３】
【補正対象書類名】明細書
【補正対象項目名】００５１
【補正方法】変更
【補正の内容】
【００５１】
また、広告パネル１、３は、広告媒体ホルダ２０の背面側に配置され、広告媒体ホルダ２０に収容された広告媒体２を背面側から照明する照明装置３０をさらに備え、非接触式情報記憶媒体リーダライタ４０または非接触式情報記憶媒体は、照明装置３０の背面側に配置されている。このようにすることで、背面側から照明することにより広告媒体２を明瞭に提示しながらも、非接触式情報記憶媒体リーダライタ４０または非接触式情報記憶媒体の影が広告媒体２に映り込まないようにすることができる。
【手続補正４】
【補正対象書類名】明細書
【補正対象項目名】００５７
【補正方法】変更
【補正の内容】
【００５７】
以上、本発明の実施の形態について説明したが、本考案の広告パネルは、上記した実施の形態に限定されるものではなく、本考案の要旨を逸脱しない範囲内において種々変更を加え得ることは勿論である。